(57)【特許請求の範囲】
【請求項１】
所定の長さを有し、その外表面に糸が巻き付けられる巻き付け体と、
前記巻き付け体の外表面における前記巻き付け体の中心軸にほぼ平行な直線上に、その長さ方向に間隔をおいて対向して設けられ、前記糸を係止可能な第１及び第２の突起と、
前記巻き付け体を、それの中心軸の回りの所定方向に回転させる回転手段と、
前記巻き付け体の外周に巻回される糸を送り出すガイド手段に、第１及び第２の突起の間を、前記巻き付け体の回転に同期して、前記巻き付け体の２回転で１往復を繰り返させる往復移動手段とを、
有し、第１及び第２の突起は、前記巻き付け体の内部に後退可能に設けられている糸の巻回装置。
【請求項２】
請求項１記載の糸の巻回装置において、前記糸の先端が前記第１の突起に固定されている糸の巻回装置。
【請求項３】
請求項１記載の糸の巻回装置において、前記糸の先端を前記往復移動手段が移動させる糸の巻回装置。
【請求項４】
請求項１記載の糸の巻回装置において、前記巻き付け体の外表面が前記中心軸に対して傾斜したテーパ面を有する糸の巻回装置。
【請求項５】
請求項１記載の糸の巻回装置において、前記中心軸を挟んで前記直線と反対側の前記巻き付け体の外表面において第１及び第２の突起のほぼ中間に位置する点に、前記中心軸線を挟んで位置するように前記糸の仕切り手段を設けた糸の巻回装置。
【発明の詳細な説明】
【技術分野】
【０００１】
本発明は、例えば糸やリボン等の条体を巻回する方法及びその装置に関する。
【背景技術】
【０００２】
従来、釣り糸を巻回したものとして、例えば特許文献１に開示されているように、８の字に釣り糸を巻いて、折りたたんだものがある。８の字に釣り糸を巻くと、巻いてある糸を解いたとき、その糸に巻き癖がつかず、しかも糸を解く作業が容易に行えるという利点がある。この８の字の釣り糸は、次のような構成の糸巻きに巻回されている。この糸巻きは、本体部を有し、この本体部は、第１及び第２の主壁が互いに平行に配置され、第１及び第２の主壁の一方の端部が結合体によって結合され、第１及び第２の主壁の他方の端部が開放端部とされている。第１の主壁の内面に、第２の主壁側に向かって突出して第１の突出部が設けられ、第１の突出部は、少なくとも前記開放端部側に位置している部分が、前記開放端部側に向かって凸に湾曲している。第２の主壁の内面に、第１の主壁側に向かって突出して第２の突出部が設けられ、第２の突出部は、少なくとも前記開放端部側に位置している部分が、前記開放端部側に向かって凸に湾曲している。第１の主壁の内面の前記結合体側から前記開放端部側に向かって第１の片状部が伸延している。第１の片状部は、中途の裏面が第１の突出部の突出端部に結合され、前記開放端部側の先端部が、前記開放端部側に向かって凸に湾曲し、少なくとも前記開放端部側の先端部が可撓性を有している。第２の主壁の内面の前記結合体側から前記開放端部側に向かって第２の片状部が伸延している。第２の片状部は、中途の裏面が第２の突出部の突出端部に結合され、前記開放端部側の先端部が、前記開放端部側に向かって凸に湾曲し、少なくとも前記開放端部側の先端部が可撓性を有している。第１及び第２の突出部間に、釣り糸が巻回され、８の字とされている。
【先行技術文献】
【特許文献】
【０００３】
【特許文献１】特許第３８９９１１７号
【発明の概要】
【発明が解決しようとする課題】
【０００４】
しかし、特許文献１では、８の字に釣り糸を巻くのに、上述したような構成の糸巻きを使用しなければならず、その糸巻きの第１及び第２の片状部間に、釣り糸を８の字に巻回しなければならず、その作業が面倒であった。
【０００５】
本発明は、特殊な形態の巻き付け具を使用せずに、８の字に条体を巻回するのが容易に行える巻回方法及び、その巻回方法に使用する巻回装置を提供することを目的とする。
【課題を解決するための手段】
【００１１】
本発明の一態様による巻回装置は、巻き付け体を有している。この巻き付け体は、所定の長さを有するもので、その外表面に糸が巻き付けられる。巻き付け体は、柱状、例えば円柱状や角柱状のものを使用することができる。前記巻き付け体の外表面における前記巻き付け体の中心軸にほぼ平行な直線上に、その長さ方向に間隔をおいて対向して第１及び第２の突起が設けられている。第１及び第２の突起は、前記糸を係止可能なものである。第１及び第２の突起は巻き付け体の内部に後退可能に設けられている。また、取り外し可能に設定することもできる。前記巻き付け体を、それの中心軸の回りの所定方向に回転手段が回転させる。回転手段としては、例えば電気モータを使用することができる。前記巻き付け体の外周に巻回される糸を送り出すガイド手段が設けられ、このガイド手段に、第１及び第２の突起の間を、前記巻き付け体の回転に同期して、前記巻き付け体の２回転で１往復を、往復移動手段が繰り返させる。往復移動手段としては、前記直線に沿ってガイド手段を移動させるものや、前記直線に対して垂直に配置したレバーの先端に前記ガイド手段を設け、前記レバーの基端側を回転の中心として、前記ガイド手段を第１及び第２の点の位置する位置付近間を揺動させるものを使用することもできる。
【００１２】
このように構成すると、巻き付け体を回転させ、ガイド手段を第１及び第２の突起間を往復移動させるという簡単な構成で、８の字に糸を巻くことができる。
【００１３】
前記糸の先端を前記第１の突起に固定することもできるし、糸の先端を前記往復移動手段が移動させることもできる。これによって、糸の先端を巻き付け体に固定し、糸の残りの部分を巻き付けていくこともできるし、糸の先端及びそれ以降の糸を巻き付け体に巻き付けることもできる。
【００１４】
前記巻き付け体の外表面が前記中心軸に対して傾斜したテーパ面を有するものとすることもできる。このように構成すると、ループ部分の径が異なる８の字に糸を巻くことができる。
【００１５】
また、前記中心軸を挟んで前記直線と反対側の前記巻き付け体の外表面において前記第１及び第２の突起のほぼ中間に位置する点に、前記中心軸線を挟んで位置するように前記糸の仕切り手段を設けることもできる。このように構成すると、８の字に巻いた糸を巻き付け体から外すとき、両ループ部分が互いに重なり合うことが防止できる。
【発明の効果】
【００１６】
以上のように、本発明によれば、特殊な巻き付け体を使用せずに、８の字に糸を容易に巻くことができる。
【図面の簡単な説明】
【００１７】
【図１】本発明の第１の実施形態の巻回装置の斜視図である。
【図２】図１の巻回装置の巻き付け体の正面図である。
【図３】図１の巻回装置の巻き付け体の部分省略側面図である。
【図４】図１の巻回装置の巻き付け体が１３５度まで回転する間に巻き付け体に釣り糸が巻かれる状態を示す平面図である。
【図５】図１の巻回装置の巻き付け体が１８０度から３１５度まで回転する間に巻き付け体に釣り糸が巻かれる状態を示す平面図である。
【図６】図１の巻回装置の巻き付け体が３６０度から４９５度まで回転する間に巻き付け体に釣り糸が巻かれる状態を示す平面図である。
【図７】図１の巻回装置の巻き付け体が５４０度から７２０度まで回転する間に巻き付け体に釣り糸が巻かれる状態を示す平面図である。
【図８】図１の巻回装置において巻き付け体に巻き付けた釣り糸を巻き付け体から外した状態の側面図である。
【図９】本発明の第２の実施形態の巻回装置の斜視図である。
【図１０】本発明の第３の実施形態の巻回装置の平面図である。
【図１１】図１０の巻回装置で巻かれた釣り糸の平面図である。
【図１２】本発明の第４の実施形態の巻回装置の平面図である。
【発明を実施するための形態】
【００１８】
本発明の第１の実施形態の巻回装置は、図１に示すように、巻き付け体２を有している。巻き付け体２は、柱状、例えば円柱状に形成され、その中心軸４の回りに回転自在に、図示していない軸受けによって支持されている。この中心軸４の回りに巻き付け体２を回転させるため、巻き付け体４の一端部には回転手段、例えば電気モータ６が取り付けられている。
【００１９】
巻き付け体２の外表面において、中心軸４に平行な直線８が想定され、この直線８上に、間隔をおいて第１の点と、第２の点とが想定され、第１の点には第１の突起１０が、第２の点には第２の突起１２が形成されている。図１では、第１及び第２の突起１０、１２は、円柱状のものを示したが、条体、例えば釣り糸が係合可能なものであれば、種々の形状のものを使用できる。これら第１及び第２の突起１０、１２は、例えば手で押し込むと、巻き付け体２内に進入し、手を離すと、自動的に突出状態になるように設けることが望ましい。
【００２０】
中心軸４を挟んで直線８と反対側の巻き付け体２の外表面に直線１４が想定され、この直線１４における第１及び第２の突起１０、１２の中間位置に第３の点が想定されている。この第３の点に仕切り手段、例えば仕切り体１６が設けられている。図２に示すように、仕切り体１６は、直線１４の両側にそれぞれ側壁１６ａ、１６ｂを有し、これらは連結部１６ｃによって連結されている。図３に示すように、直線１４上には溝１８が形成され、この溝１８に連結部１６ｃが挿通されており、仕切り体１６は、直線１４に沿って巻き付け体２の一端部から他端部まで摺動可能である。側壁１６ａ、１６ｂに代えて柱状のものを使用することもできる。
【００２１】
図１に示すように、第１の突起１０よりも巻き付け体２の一端部側に寄った位置に、ボビン２０に巻かれた釣り糸２２の引き出し端を固定する固定突起２３が設けられている。ボビン２０から引き出された釣り糸２２の引き出し端は、ガイド２４を介して固定突起２３に到達し、ここに固定されている。引き出し端より幾分ボビン側の釣り糸２２の部分が第１の突起１０に係合している。なお、固定突起２３も、第１及び第２の突起１０、１２と同様に巻き付け体２内に進退可能に構成されている。また、ボビン２０とガイド２４との間にアキュムレータを介在させることもある。
【００２２】
ガイド２４は、往復移動手段、例えばコンベア２６に取り付けられている。コンベア２６は、巻き付け体２の上方において巻き付け体２の一端部と他端部とに対応する位置にプーリ２６ａと２６ｂとを有し、これらの間に紐帯、例えばベルト２６ｃを張架したもので、プーリ２６ａ、２６ｂの一方、この実施形態ではプーリ２６ｂに駆動手段、例えば電気モータ２６ｄが結合されている。ベルト２６ｃにガイド２４が固定され、電気モータ２６ｄを制御することによって、ガイド２４は、第１の突起１０と第２の突起１２との間を往復移動する。
【００２３】
ガイド２４の往復移動と巻き付け体２の回転とが同期して行われるように電気モータ６、２６ｄの制御が行われている。例えば、ガイド２４が第１の突起１０から第２の突起１２に移動する間に、巻き付け体２は１回転し、ガイド２４が第２の突起１２から第１の突起１０に移動する間に、巻き付け体２は、さらに１回転する。言い換えれば、ガイド２４が一往復する間に、巻き付け体２は２回転する。
【００２４】
このようにガイド２４が一往復する間に巻き付け体２が２回転することによって、巻き付け体２には釣り糸２２が８の字に巻回される。即ち、図４（ａ）に示すように、第１の突起１０に対応する位置にガイド２４が位置する状態において巻き付け体２が所定方向に回転を開始し、同時にガイド２４が第２の突起１２側に移動を開始したとする。同図（ｂ）に示すように、巻き付け体２が４５度回転したとき、ガイド２４は、第１及び第２の突起１０、１２間の距離の１／８だけ第２の突起１２側に移動している。その結果、釣り糸２２は、巻き付け体２の外表面に第１の突起１０を基点として４５度回転し、１／８だけ第２の突起１０側に移動した位置まで巻き付けられている。巻き付け体２が９０度回転したとき、ガイド２４は２／８だけ第２の突起１２側に移動し、同図（ｃ）に示す位置まで釣り糸２２は巻き付け体２の外表面に巻き付けられる。巻き付け体２が１３５度回転したとき、ガイド２４は３／８だけ第２の突起１２側に移動し、同図（ｄ）に示す位置まで釣り糸２２は巻き付け体２の外表面に巻き付けられている。
【００２５】
巻き付け体２が１８０度回転したとき、ガイド２４は４／８だけ第２の突起１２側に移動し、釣り糸２２は図５（ａ）に示す位置まで巻き付け体２の外表面に巻き付けられ、第３の点の仕切り体１６の内部に到達する。巻き付け体２が２２５度回転したとき、ガイド２４は５／８だけ第２の突起１２側に移動し、釣り糸２２は仕切り体１６を通過して同図（ｂ）に示す位置まで巻き付け体２の外表面に巻き付けられる。巻き付け体２が２７０度回転したとき、ガイド２４は６／８だけ第２の突起１２側に移動し、釣り糸２２は同図（ｃ）に示す位置まで巻き付け体２の外表面に巻き付けられる。巻き付け体２が３１５度回転したとき、ガイド２４は７／８だけ第２の突起１２側に移動し、釣り糸２２は、同図（ｄ）に示す位置まで巻き付け体２の外表面に巻き付けられる。
【００２６】
巻き付け体２が３６０度、即ち１回転したとき、ガイド２４は第２の突起１２に到達し、図６（ａ）に示すように釣り糸２２が巻き付け体２の外表面に巻き付けられ、８の字の一方のループの半分と、他方のループの半分（但し、一方のループの半分とは反対側の半分）とが形成されている。巻き付け体２が１回転と４５度（４０５度）回転したとき、ガイド２４は第２の突起１２側から第１の突起１０側に１／８だけ移動し、同図（ｂ）に示すように、釣り糸２２が巻き付け体２の外表面に巻き付けられる。巻き付け体２が１回転と９０度（４５０度）回転したとき、ガイド２４は第１の突起１０側に２／８だけ移動し、同図（ｃ）に示すように、釣り糸２２が巻き付け体２の外表面に巻き付けられる。巻き付け体２が１回転と１３５度（４９５度）回転したとき、ガイド２４は第１の突起１０側に３／８だけ移動し、同図（ｄ）に示すように、釣り糸２２が巻き付け体２の外表面に巻き付けられる。
【００２７】
巻き付け体２が１回転と１８０度回転（５４０度）したとき、ガイド２４は第１の突起１０側に４／８だけ移動し、図７（ａ）に示すように釣り糸２２は仕切り体１６に到達している。巻き付け体２が１回転と２２５度（５８５度）回転したとき、ガイド２４は第１の突起１０側に５／８だけ移動し、同図（ｂ）に示すように釣り糸２２は巻き付け体２の外表面に巻き付けられている。巻き付け体２が１回転と２７０度（６２０度）回転したとき、ガイド２４は第１の突起１０側に６／８移動し、同図（ｃ）に示すように釣り糸２２は巻き付け体２に巻き付けられている。巻き付け体２が１回転と３１５度（６７５度）回転したとき、ガイド２４は第１の突起１０側に７／８移動し、同図（ｄ）に示すように釣り糸２２は巻き付け体２に巻き付けられている。巻き付け体２が２回転（７２０度回転）したとき、ガイド２４は第１の突起１０に到達し、同図（ｅ）に示すように釣り糸２２は巻き付け体２に巻き付けられ、８の字のループが１つ完成する。
【００２８】
この間に、巻き付け体２は２回転し、ガイド２４は１往復し、その結果、釣り糸２２は、巻き付け体２の外表面上を、第１の突起１０から第３の点にある仕切り体１６を通過して、第２の突起１２に到達し、再び仕切り体１６を通過して第１の突起１０に戻る。以下、同じ動作が、所望の長さの釣り糸２２が巻き付け体２に８の字に巻き付けられるまで、繰り返される。
上記設定は、巻き付け体２とガイド２４が相対移動を行う具体例であり、上記巻き付け体２の２回転にガイド２４が１往復の条件を満たす機構であれば、他の構成でも本発明を実施できる。たとえば、ガイド２４は固定であり、巻き付け体２自身が２回転とともに１往復する場合でも良い。
【００２９】
このようにして所望の長さだけ釣り糸２２が巻き付けられると、釣り糸２２のボビン２０側の端を切断する。次に、固定突起２３から釣り糸２２の引き出し端を外し、第１及び第２の突起１０、１２を巻き付け体２内に後退させ、８の字の２つのループ部分を巻き付け体２の中央側に寄せ、仕切り体１６と共に、巻き付け体２の一方の端に移動させて、巻き付け体２から外す。このとき、８の字に巻かれた釣り糸２２は、図８に示すように２つのループがほぼ重なった状態となる。しかし、仕切り体１６が設けられているので、２つのループ部分の釣り糸２２が絡まりあうことはない。このように２つのループ部分をほぼ重ねたものを収容用の容器に入れて、釣り糸を販売する。このように本発明によれば、従来技術において示した糸巻きを使用せずに、８の字状に釣り糸を巻くことができる。なお、収容容器に釣り糸を収容する際に、仕切り体１６を除去し、代わりにループが解けることを防止する結束具を取り付けてもよい。
【００３０】
本発明の第２の実施形態の巻回装置を図９に示す。第１の実施形態の巻回装置では、釣り糸２２の引き出し端を固定し、ボビン２０から引き出した部分を巻き付け体２に巻き付けたが、第２の実施形態の巻回装置では、ガイド２４によって釣り糸２２の引き出し端を案内して、引き出し端を巻き付け体２に巻き付けている。他の構成は、第１の実施形態の巻回装置の構成要素と同一であるので、同一部分には同一符号を付して、その説明を省略する。
【００３１】
本発明の第３の実施形態の巻回装置を図１０及び図１１に示す。この実施形態の巻回装置では、図１０に示すように、テーパ付きの巻き付け体２ａが使用されている。第１及び第２の突起１０ａ、１２ａは、巻き付け体２ａの外表面において中心軸１４ａに沿う直線上に位置し、仕切り体１６ａは中心軸１４ａを挟んで、第１及び第２の突起１０ａ、１２ａの反対側の直線上の両者の中途に位置している。コンベア２６ａは、第１及び第２の突起１０ａ、１２ａが乗っている直線と平行にガイド２４を往復移動させる。即ち、中心軸１４ａに対してコンベア２６ａ及びガイド２４ａは傾斜している。他の構成は、第１または第２の実施形態と同様である。
【００３２】
このようにテーパ付きの巻き付け体２ａを使用すると、図１１に示すように大きさの異なる２つのループを持つ８の字に釣り糸２２を巻くことができる。
【００３３】
第４の実施形態の巻回装置を図１２に示す。第１乃至第３の実施形態では、ガイド２４、２４ａを往復移動させるために、巻き付け体の両端間に沿って配置したコンベア２６、２６ａを使用したが、この実施形態の巻回装置では、往復移動手段として、巻き付け体２の中心軸１４に対して直交するようにレバー１２６を設け、このレバー１２６の一端部にガイド２４を設け、このガイド２４が第１の突起１０と第２の突起１２との間を揺動するようにレバー１２６の長さを選択し、他端部側を回動自在に支持し、図示しないモータによって、レバー１２６を揺動させるものである。無論、レバー１２６が一往復する間に、これに同期して巻き付け体２は２回転する。
【００３４】
上記の各実施形態では、巻き付け体２やガイド２４をモータによって駆動して、自動的に８の字に釣り糸を巻いたが、例えば巻き付け体２を手で回転させながら、釣り糸が巻き付け体２、２ａの表面に接触する位置を、徐々に巻き付け体２、２ａの第１の突起１０、１０ａ側から第２の突起１２、１２ａ側に移動させ、第２の突起１２、１２ａ側に到達すると、釣り糸が巻き付け体２、２ａの表面に接触する位置を、再び第１の突起１０、１０ａ側に徐々に移動させることを繰り返すことによっても、８の字に釣り糸を巻くこともできる。即ち、巻き付け体２、２ａの使用によって、手動によって８の字に釣り糸を巻くこともできる。
【００３５】
上記の各実施形態では、釣り糸を８の字に巻いたが、これに限ったものではなく、他の糸も８の字に巻くこともできる。
【符号の説明】
【００３６】
２  巻き付け体
１０  第１の突起
１２  第２の突起
２２  釣り糸（条体）
２４  ガイド（ガイド手段）
２６  コンベア（往復移動手段）
【図１】
0005571964.tif 000002
【図２】
0005571964.tif 000003
【図３】
0005571964.tif 000004
【図４】
0005571964.tif 000005
【図５】
0005571964.tif 000006
【図６】
0005571964.tif 000007
【図７】
0005571964.tif 000008
【図８】
0005571964.tif 000009
【図９】
0005571964.tif 000010
【図１０】
0005571964.tif 000011
【図１１】
0005571964.tif 000012
【図１２】
0005571964.tif 000013